(57)【特許請求の範囲】
【請求項１】
ディスクケースに収納されたケース内蔵記録媒体ディスクと、ディスク単体で使用されるディスクケースに収納されていないケース非収納記録媒体ディスクとを、ターンテーブルに対し装填、排出可能であり、前記ケース内蔵記録媒体ディスクおよび前記ケース非収納記録媒体ディスクいずれに対しても再生可能なディスク装置において、
直動的に移動する直動移動部材と、
該直動移動部材の移動により、前記ケース内蔵記録媒体ディスクを装置内の所定位置へ引き込んで前記ターンテーブル上に装填するために前記ケース内蔵記録媒体ディスクを位置決め保持し、上下動するホルダーを有したケース内蔵記録媒体ディスク装填機構と、
装置内の所定位置へ取り込まれた前記ケース非収納記録媒体ディスクを前記ターンテーブル上に装填する、非収納記録媒体ディスククランパーと非収納記録媒体ディスクアダプタとを有した非収納記録媒体ディスク装填機構と、
前記ケース内蔵記録媒体ディスク装填機構が、前記ケース内蔵記録媒体ディスクの装置内の所定位置への引き込みとターンテーブル上への装填を行う際に、前記直動移動部材の移動により前記非収納記録媒体ディスク装填機構を前記ケース内蔵記録媒体ディスクの前記ターンテーブル上への装填に支障のない装置奥方へ待避させるカム機構を設けて回動可能とした待避機構とを備えていることを特徴とするディスク装置。
【請求項２】
ケース内蔵記録媒体ディスク装填機構がケース内蔵記録媒体ディスクを装置内の所定位置へ引き込んで前記ターンテーブル上に装填する際の直動移動部材の直動的な移動により、前記非収納記録媒体ディスクアダプタを上方へ持ち上げるカム機構を備えていることを特徴とする請求の範囲第１項記載のディスク装置。
【請求項３】
ケース内蔵記録媒体ディスク装填機構は、
直動移動部材の直動的な移動により回転動作を行うケース内蔵記録媒体ディスク引込み部材と、
ケース内蔵記録媒体ディスクを装置内の所定位置へ直動的に引き込むため、前記ケース内蔵記録媒体ディスク引込み部材の回転動作を前記ケース内蔵記録媒体ディスクが装着されるケース内蔵記録媒体ディスクホルダーの直線動作に変える動作変換機構とを備えていることを特徴とする請求の範囲第１項記載のディスク装置。
【請求項４】
ケース内蔵記録媒体ディスク引込み部材は、
一端がケース内蔵記録媒体ディスクホルダーの一部と摺動可能に係合して動作変換機構の一部を構成し、他端が回動可能に軸支されたディスクホルダーアームと、
該ディスクホルダーアームと一体的に回動可能に構成され、曲線状のガイドスリットが形成されたガイドスリット構成部材とを備え、
直動移動部材は、
前記ガイドスリット構成部材に形成されたガイドスリットと係合しており、直動移動部材の直動的な移動をケース内蔵記録媒体ディスク引込み部材の回転動作へ変えるピンを備えていることを特徴とする請求の範囲第３項記載のディスク装置。
【請求項５】
待避機構は、
非収納記録媒体ディスクアダプタが先端部に構成された回動可能なディスクアダプタアームの基部付近に形成されたガイドスリットと、
前記ガイドスリットと係合し、ケース内蔵記録媒体ディスクを装置内の所定位置へ引き込んでターンテーブル上に装填する際に、直動移動部材の直動的な移動により非収納記録媒体ディスク装填機構を装置奥方へ退避させる、当該直動移動部材に構成されたピンを備えていることを特徴とする請求の範囲第３項記載のディスク装置。
【発明の詳細な説明】
【技術分野】
【０００１】
この発明は、ディスク単体で使用されるＣＤ（コンパクトディスク）やカートリッジに内蔵された状態で使用される例えばＭＤ（ミニディスク）などの異なった形態の情報記録媒体を、非同時的にターンテーブル上に装填（ローディング）させ、またターンテーブル上から排出（イジェクト）させるディスク装置に関するものである。
【背景技術】
【０００２】
第１図は、例えば特開平９−２３１６５４号公報に開示されたローディング装置の構成を示す概要構造図である。第１図において、１はＭＤ−ＣＤコンパチブルプレーヤ、１０はシャーシ組立体、１１はシャーシ、１２はスピンドルモータ、１３はターンテーブル、１４は光ピックアップ、１５は支持板、１６はピン、１７はラック、２０はアダプタ組立体、２１はブラケット、２２はシャフト、２３は円筒体、２４はバネ、２５は止め輪、２６はアーム、２７はアダプタ、２８はボス、２９は三角カム、３０は歯車、３１はモータ、４０はディスクホルダ組立体、４６はディスクホルダ、６１はＭＤガイド板である。
次に、動作について説明する。
このディスク装置では、ＭＤの挿入を検出した後、アダプタ２７の駆動源となるモータ３１を作動させる。そして、モータ３１と連結した歯車３０の回転駆動により円筒体２３と一体にアーム２６がシャフト２２を中心に図示反時計方向に回動すると、アーム２６に固着したボス２８が三角カム２９の頂点に至る途中で、アーム２６の先端に設けた大径のアダプタ２７が小径のターンテーブル１３から離間し、さらにアーム２６が反時計方向へ回動する。この結果、アーム２６に固着したボス２８が三角カム２９の頂点から斜面を降りながら、アーム２６の先端に設けた大径のアダプタ２７をシャーシ１１の奥方まで回動させ、ＭＤに対して支障のない位置に自動的に待避させる。
【発明の開示】
【発明が解決しようとする課題】
【０００３】
従来のディスク装置は以上のように構成されているので、クランパを待避させる機構が明らかでなく、またＭＤの挿入を検出してアダプタ２７を待避させる構造であることから、ＭＤの挿入動作速度に関わらずアダプタ２７の待避速度は一定の速度であり、挿入されたＭＤと待避動作をするアダプタ２７の間で干渉する状態が生じ易く、信頼性に欠けるとともに、構造も複雑化する課題があった。
この発明は上記のような課題を解決するためになされたもので、ＣＤなどのディスク単体で使用される情報記録媒体、ＭＤなどのカートリッジに内蔵された状態で使用される情報記録媒体いずれにも対応できる、構造を簡略化して信頼性を向上させたディスク装置を得ることを目的とする。
【課題を解決するための手段】
【０００４】
この発明に係るディスク装置は、直動的に移動する直動移動部材と、該直動移動部材の移動によりケース内蔵記録媒体ディスクを装置内の所定位置へ引き込んでターンテーブル上に装填するために前記ケース内蔵記録媒体ディスクを位置決め保持し、上下動するホルダーを有したケース内蔵記録媒体ディスク装填機構と、装置内の所定位置へ取り込まれたケース非収納記録媒体ディスクを前記ターンテーブル上に装填する、非収納記録媒体ディスククランパーと非収納記録媒体ディスクアダプタとを有した非収納記録媒体ディスク装填機構と、前記ケース内蔵記録媒体ディスク装填機構が、前記直動移動部材の移動により前記ケース内蔵記録媒体ディスクの装置内の所定位置への引き込みとターンテーブル上への装填を行う際に、前記直動移動部材の移動により前記非収納記録媒体ディスク装填機構を前記ケース内蔵記録媒体ディスクの前記ターンテーブル上への装填に支障のない装置奥方へ待避させるカム機構を設けて回動可能とした待避機構とを備えるようにしたものである。
この発明に係るディスク装置は、ケース内蔵記録媒体ディスク装填機構がケース内蔵記録媒体ディスクを装置内の所定位置へ引き込んで前記ターンテーブル上に装填する際の直動移動部材の直動的な移動により、前記非収納記録媒体ディスクアダプタを上方へ持ち上げるカム機構を備えるようにしたものである。
この発明に係るディスク装置は、直動移動部材の直動的な移動により回転動作を行うケース内蔵記録媒体ディスク引込み部材と、ケース内蔵記録媒体ディスクを装置内の所定位置へ直動的に引き込むため、前記ケース内蔵記録媒体ディスク引込み部材の回転動作を前記ケース内蔵記録媒体ディスクが装着されるケース内蔵記録媒体ディスクホルダーの直線動作に変える動作変換機構とを備えるようにしたものである。
この発明に係るディスク装置は、一端がケース内蔵記録媒体ディスクホルダーの一部と摺動可能に係合して動作変換機構の一部を構成し、他端が回動可能に軸支されたディスクホルダーアームと、該ディスクホルダーアームと一体的に回動可能に構成され、曲線状のガイドスリットが形成されたガイドスリット構成部材とをケース内蔵記録媒体ディスク引込み部材が備え、前記ガイドスリット構成部材に形成されたガイドスリットと係合したピンを直動移動部材が備えるようにしたものである。
この発明に係るディスク装置は、非収納記録媒体ディスクアダプタが先端部に構成された回動可能なディスクアダプタアームの基部付近に形成されたガイドスリットと、前記ガイドスリットと係合し、ケース内蔵記録媒体ディスクを装置内の所定位置へ引き込んでターンテーブル上に装填する際に、直動移動部材の直動的な移動により非収納記録媒体ディスク装填機構を装置奥方へ退避させる、当該直動移動部材に構成されたピンを待避機構が備えるようにしたものである。
【発明の効果】
【０００５】
この構成によって、前記ケース内蔵記録媒体ディスク装填機構による前記ケース内蔵記録媒体ディスクの装置内の所定位置への引き込みと前記ターンテーブル上への装填、および前記非収納記録媒体ディスク装填機構の待避が、前記直動移動部材の直動的な移動により実現でき、構造を簡略化して信頼性を向上させたディスク装置が得られる効果を奏する。
この構成によって、前記ケース内蔵記録媒体ディスクが装置内の所定位置へ引き込まれ前記ターンテーブル上へ装填される際の、前記非収納記録媒体ディスク装填機構の待避に伴う前記非収納記録媒体ディスクアダプタの上方への持ち上げ動作が、前記直動移動部材の直動的な移動により実現でき、構造を簡略化して信頼性を向上させたディスク装置が得られる効果を奏する。
この構成によって、前記ケース内蔵記録媒体ディスクを装置内の所定位置へ直動的に引き込む動作が前記直動移動部材の直動的な移動により実現でき、構造を簡略化して信頼性を向上させたディスク装置が得られる効果を奏する。
この構成によって、前記ケース内蔵記録媒体ディスクを装置内の所定位置へ直動的に引き込む動作が前記直動移動部材の直動的な移動により実現でき、構造を簡略化して信頼性を向上させたディスク装置が得られる効果を奏する。
この構成によって、前記ケース内蔵記録媒体ディスクが装置内の所定位置へ引き込まれ前記ターンテーブル上へ装填される際の、非収納記録媒体ディスク装填機構の待避が直動移動部材の直動的な移動により実現でき、構造を簡略化して信頼性を向上させたディスク装置が得られる効果を奏する。
【発明を実施するための最良の形態】
【０００６】
実施の形態１．
第２図は、この発明の実施の形態１によるディスク装置の構成を示す構造図、第３図は第２図に示したディスク装置の右側面の内部構成を示す構造図、第４図は、第２図および第３図に示すディスク装置を立体的に示す構成図である。これらの図において、１０１はコンパクトディスク（以下、ＣＤという）アダプタ１０６とＣＤクランパー１０４とを待避させるとともにミニディスク（以下、ＭＤという）ホルダー１０２を装置内へ引き入れる駆動プレート（直動移動部材）であり、矢印Ａ方向へ移動してＣＤアダプタ１０６とＣＤクランパー１０４とを待避させるとともにＭＤホルダー１０２を装置内へ引き入れる。１０４はＣＤクランパー（非収納記録媒体ディスク装填機構）、１０５はＣＤクランパーアームである。１０６はＣＤアダプタ（非収納記録媒体ディスク装填機構）であり、第２図、第３図、第４図の状態では、図示していないターンテーブル上に載置された位置に配置される。１０７はＭＤホルダー１０２により装置内へ引き込まれるＭＤである。１０８はＭＤホルダー１０２を装置内へ引き込むためのＭＤホルダー引込みアーム（ケース内蔵記録媒体ディスク装填機構，ケース内蔵記録媒体ディスク引込み部材）であり、軸１２８を中心に矢印Ｃおよび矢印Ｄ方向へ回動可能に構成されている。また、ＭＤホルダー引込みアーム１０８は、ＭＤ１０７がＭＤホルダー１０２の所定の位置へ装着された第２図の状態で、ユーザがＭＤ１０７を装置内へ押し込もうとすると、このユーザによるＭＤ１０７の押し込み動作に応じて矢印Ｃ方向へ回動可能に構成されている。また、ＭＤホルダー引込みアーム１０８の先端部には、例えばローラ１０８ａ（動作変換機構）が回動可能に軸支されており、このローラ１０８ａはＭＤホルダー引込みアーム１０８の回動に伴ってＭＤホルダー１０２の辺部に形成されたローラ係合面１０２ｂ(動作変換機構)を移動する。
１１０は駆動プレート１０１を矢印Ａおよび矢印Ｂ方向へ駆動するための駆動源であるモータ、１１１はクラッチ、１１２はモータ１１０の駆動力をクラッチ１１１などへ伝達する歯車である。
第５図は、ＭＤホルダー引込みアーム１０８と駆動プレート１０１との係合関係を示す部分機構図である。第５図において第２図、第３図および第４図と同一または相当の部分については同一の符号を付し説明を省略する。第５図において、１２１は駆動プレート１０１を矢印Ａおよび矢印Ｂ方向へ駆動するための駆動歯車である。この駆動歯車１２１はモータ１１０により駆動される。１２２は駆動プレート１０１に構成され駆動歯車１２１と係合しているラックである。１２３は矢印Ａおよび矢印Ｂ方向へ移動する駆動プレート１０１を案内するガイドスリットであり、第２図に示すようにピン１２４と係合し、このピン１２４により駆動プレート１０１は矢印Ａおよび矢印Ｂ方向への移動が案内される。
１２５は曲線状のスリット１２６が形成されたスリット構成部材（ケース内蔵記録媒体ディスク装填機構，ケース内蔵記録媒体ディスク引込み部材）であり、ＭＤホルダー引込みアーム１０８と一体的に移動可能に構成され、軸１２８を中心に回動する。このスリット構成部材１２５のスリット１２６は、駆動プレート１０１に構成されたピン１０９と係合している。１２７はＭＤホルダー引込みアーム１０８と一体的に移動可能に構成されたスイッチ操作片であり、矢印Ｃおよび矢印Ｄ方向へのＭＤホルダー引込みアーム１０８の回動とともに、軸１２８を中心にして矢印Ｅおよび矢印Ｆ方向へ回動する。１４１はＭＤ１０７の挿入を検知するためのＭＤ挿入検知スイッチであり、第５図に示すようにＭＤホルダー引込みアーム１０８が矢印Ｄ方向の回動端位置にある状態でＭＤ挿入検知スイッチ１４１のアクチュエータと当接する位置に配置されている。従って、ＭＤホルダー１０２に装着されたＭＤ１０７が少しでも装置内へ押し込まれると、ＭＤホルダー引込みアーム１０８は矢印Ｃ方向へ回動し、スイッチ操作片１２７が矢印Ｅ方向へ回動するため、スイッチ操作片１２７はＭＤ挿入検知スイッチ１４１のアクチュエータへ当接しなくなり、これによりＭＤ挿入検知スイッチ１４１の状態は切り替えられ、ＭＤ１０７の挿入を検知することが出来る。
第６図は、駆動プレート１０１とＣＤアダプタ１０６との係合関係を示すこの実施の形態１のディスク装置の構成を立体的に示す構造図であり、第７図は第６図においてＭＤ挿入方向から見たときの構造図、第８図は第６図において右側から見たときの構造図である。これらの図において、第２図、第３図、第４図と同一または相当の部分については同一の符号を付し説明を省略する。第６図において、１４２はＣＤアダプタ１０６を支持するＣＤアダプタアーム（待避機構）、１４３はＣＤアダプタアーム１４２の基部に形成されたガイドスリット（待避機構）、１４４は駆動プレート１０１に構成され、ガイドスリット１４３と係合するピン（待避機構）である。ガイドスリット１４３は、駆動プレート１０１が矢印Ａ方向へ移動して駆動プレート１０１に構成されたピン１４４がガイドスリット１４３内を移動することで、ＣＤクランパーアーム１０５とともにＣＤアダプタアーム１４２を矢印Ｇ方向へ回動させるためのものである。また、第７図において１３１はＭＤ、ＣＤ共用のターンテーブルである。
１４５はＣＤアダプタアーム１４２の基部に下方へ屈曲して構成された突片（カム機構）であり傾斜した辺１４５ａを有している。駆動プレート１０１が矢印Ａ方向へ移動すると、その駆動プレート１０１に構成された傾斜段部（カム機構）１０１ａと突片１４５の辺１４５ａが当接する。突片１４５の辺１４５ａが傾斜段部１０１ａと当接した状態で、駆動プレート１０１が矢印Ａ方向へさらに移動すると、突片１４５の辺１４５ａは傾斜段部１０１ａの表面上を摺動しながら傾斜段部１０１ａの上段部へ移動する。この結果、ＣＤアダプタアーム１４２は上方へ持ち上げられ、ＣＤアダプタアーム１４２の先端に構成されたＣＤアダプタ１０６はＣＤクランパー１０４の下面と重ね合わされる。
第９図は、この実施の形態１のディスク装置のＭＤ１０７がＭＤホルダー１０２の所定位置へ挿入された状態で、ＣＤアダプタ１０６が上方へ持ち上げられたときの構成を示す構造図、第１０図は第６図に示したディスク装置の右側面の内部構成を示す構造図、第１１図は、第９図および第１０図に示すディスク装置を立体的に示す構成図である。これらの図において、第２図、第３図、第４図、第７図と同一または相当の部分については同一の符号を付し説明を省略する。
第９図において、ＭＤ共用のターンテーブル１３１は、ＣＤアダプタ１０６が上方へ持ち上げられているため図示されている。このＣＤアダプタ１０６の上方への移動は、駆動プレート１０１の矢印Ａ方向への移動により実現され、そのための機構を有している。
また、第１２図は、ＭＤホルダー１０２をガイドするＭＤホルダーガイドを立体的に示す構成図であり、図において１５１はＭＤホルダーガイド、１５２はＭＤホルダーガイド１５１に形成されたガイドスリットであり、ＭＤホルダー１０２に構成されたピン１０２ａと係合している。
第１３図は、ＭＤホルダーガイドに形成されたガイドスリットにより装置内の所定位置へ案内されたＭＤホルダー１０２を駆動プレート１０１側から見た状態を立体的に示す構成図である。第１３図において、１６１は可動側板であり、モータ１１０により矢印Ｍおよび矢印Ｎ方向へ駆動される。このため、可動側板１６１には、モータ１１０により回転する歯車と噛み合っているラック部１６１ａが形成されている。１６２および１６３はＭＤホルダー１０２側のピンである。可動側板１６１には第１の斜辺構成部１６４と第２の斜辺構成部１６５が形成されており、第１の斜辺構成部１６４はピン１６２と、第２の斜辺構成部１６５はピン１６３と係合している。
この可動側板１６１がモータ１１０により矢印Ｍ方向へ駆動されると、ＭＤホルダー１０２と一体的に構成されたピン１６２は可動側板１６１の第１の斜辺構成部１６４上を下方へ滑り降り、またＭＤホルダー１０２と一体的に構成されたピン１６３は第２の斜辺構成部１６５上を下方へ滑り降りる。そして、ＭＤ１０７が装着されたＭＤホルダー１０２を水平な状態で矢印Ｐ方向へ下降させて、ＭＤホルダー１０２に装着されたＭＤ１０７を水平にターンテーブル１３１上へ載置するように構成されている。
次に、動作について説明する。
先ず、ＭＤ１０７を挿入口から押し込んで、ＭＤホルダー１０２の所定位置へ装着したときの動作について説明する。
第１４図、第１５図、第１６図は、ＭＤホルダー１０２の所定位置へＭＤ１０７を装着するまでのディスク装置の状態を示す。
このディスク装置はＭＤ、ＣＤいずれも使用できる。ＭＤを使用する場合には、使用するＭＤ１０７を図示してない挿入口からユーザが挿入する。この場合、ＭＤ１０７がＭＤホルダー１０２に装着されるように挿入する。
このＭＤ１０７が挿入口から挿入されて所定位置へ装着されたときのＭＤホルダー１０２、ＣＤクランパー１０４、ＣＤアダプタ１０６の位置は第１４図に示す状態になっており、第５図に示すようにスイッチ操作片１２７はＭＤ挿入検知スイッチ１４１のアクチュエータへ当接しており、ユーザがＭＤ１０７を挿入口から挿入し、ＭＤホルダー１０２の所定位置へ装着する過程ではＭＤ１０７の挿入は検出されていない。
ユーザがＭＤ１０７をさらに挿入し、ＭＤ１０７がＭＤホルダー１０２の所定位置まで挿入され、この状態から少しでもＭＤ１０７を装置内へユーザが押し込もうとすると、この押し込み動作によりＭＤホルダー引込みアーム１０８は矢印Ｃ方向へ回動し、第１７図に示すようにスイッチ操作片１２７が矢印Ｅ方向へ回動する。
このため、スイッチ操作片１２７はＭＤ挿入検知スイッチ１４１のアクチュエータへ当接しなくなり、これによりＭＤ挿入検知スイッチ１４１の状態が切り替えられ、ＭＤの挿入が検知される。
次に、ＭＤの挿入が検知され、これにより駆動プレート１０１が矢印Ａ方向へ移動したときの動作について説明する。
第１７図、第１８図、第１９図、第２０図は、ＭＤの挿入が検知され、これにより駆動プレート１０１が矢印Ａ方向へ移動したときのこのディスク装置の状態を示す。
ＭＤ１０７が挿入されたことが第１７図に示すようにＭＤ挿入検知スイッチ１４１により検知され、駆動プレート１０１が矢印Ａ方向へ移動すると、第１８図、第１９図、第２０図に示すように、ＣＤアダプタアーム１４２の基部に構成された突片１４５の辺１４５ａが傾斜段部１０１ａ上を上段部１０１ｂへ滑り上がることで、それまでターンテーブル１３１上に載置されていたＣＤアダプタ１０６は上方へ持ち上げられ、ＣＤクランパー１０４の下方からＣＤクランパー１０４の裏面へ重ね合わされる。
駆動プレート１０１がさらに矢印Ａ方向へ移動すると、駆動プレート１０１に構成されたピン１０９がスリット１２６内を移動することで、スリット構成部材１２５を第１７図に示す矢印Ｉ方向へ軸１２８を中心にして回動させる。ＭＤホルダー引込みアーム１０８はスリット構成部材１２５と一体的に移動可能に構成されているため、スリット構成部材１２５と同じように矢印Ｃ方向へ回動し、ＭＤ１０７が装着されているＭＤホルダー１０２を矢印Ｋ方向へ移動させ、ＭＤ１０７を装置内へ引き込む。
一方、駆動プレート１０１に構成されているピン１４４もＣＤアダプタアーム１４２の基部に構成されたスリット１４３内を移動し、この結果、ＣＤクランパーアーム１０５と上方へ移動したＣＤアダプタアーム１４２を矢印Ｇ方向へ移動させ、装置の奥へ待避させる。
次に、ＣＤクランパーアーム１０５とＣＤアダプタアーム１４２が装置の奥へ待避したときの動作について説明する。
第２１図、第２２図、第２３図は、ＣＤクランパーアーム１０５とＣＤアダプタアーム１４２が装置の奥へ待避したときの、この実施の形態１のディスク装置の状態を示す。
この状態では、駆動プレート１０１に構成されたピン１０９は第２１図に示すようにスリット１２６の先端へ移動し、ピン１２４はガイドスリット１２３の右端へ移動し、ピン１４４はガイドスリット１４３の左端へ移動している。
第２４図、第２５図、第２６図、第２７図は、この実施の形態１のディスク装置におけるＣＤクランパーアーム１０５とＣＤアダプタアーム１４２が装置の奥へ待避したときの、ＭＤホルダー１０２へ装着されているＭＤ１０７の状態を示しており、第２４図はＭＤ１０７が装置内の所定位置へセットされた状態、第２５図は第２４図の右側面の状態、第２６図は第２４図および第２５図の状態を立体的に示したものである。
また第２７図は駆動プレート１０１と、ＭＤホルダー１０２に装着されたＭＤ１０７との関係を示す。また、第２８図は、ＭＤホルダーガイド１５１と、ＭＤホルダーガイド１５１のガイドスリット１５２により装置内の所定位置へ案内されたＭＤホルダー１０２を駆動プレート１０１側から見た状態を示しており、図に示すように、装置内の所定位置へセットされたＭＤ１０７は、ちょうどその回転中心部がターンテーブル１３１上へ水平に位置した状態になる。
また、ＭＤ１０７は、ＭＤホルダー１０２に構成されたピン１０２ａがＭＤホルダーガイド１５１に構成されたガイドスリット１５２により案内され、装置内の前記所定位置へ取り込まれてセットされる。
この状態において、可動側板１６１が矢印Ｍ方向へモータ１１０により駆動され、ＭＤホルダー１０２と一体的に構成されたピン１６２が可動側板１６１の第１の斜辺構成部１６４上を、またＭＤホルダー１０２と一体的に構成されたピン１６３が可動側板１６１の第２の斜辺構成部１６５上を下方へ摺動する。この結果、ＭＤホルダー１０２は、ＭＤ１０７を装着した状態で水平な状態で矢印Ｐ方向へ下降し、ＭＤホルダー１０２に装着されたＭＤ１０７はその回転中心部がターンテーブル１３１上へ載置され、ターンテーブル１３１によりＭＤ１０７の記録媒体ディスクが駆動可能な状態になる。
以上のように、この実施の形態１によれば、駆動プレート１０１の矢印Ａ方向の動きにより、ＭＤホルダー１０２に装着されたＭＤ１０７の装置内の所定位置へのセット動作と、ＣＤクランパー１０４およびＣＤアダプタ１０６の装置奥への待避動作が実現できるため、ＣＤ、ＭＤいずれにも対応できる構造を簡略化して信頼性を向上させたディスク装置が得られる効果がある。
【産業上の利用可能性】
【０００７】
以上のように、この発明に係るディスク装置は、ディスク単体で使用されるＣＤ、およびカートリッジ内蔵型のディスクであるＭＤが共用できる車載用のディスク装置として用いるのに適している。
【図面の簡単な説明】
【０００８】
【図１】特開平９−２３１６５４号公報に開示されたローディング装置の構成を示す概要構造図である。
【図２】この発明の実施の形態１によるディスク装置の構成を示す構造図である。
【図３】この発明の実施の形態１による第２図に示したディスク装置の右側面の内部構成を示す構造図である。
【図４】この発明の実施の形態１による第２図および第３図に示すディスク装置を立体的に示す構成図である。
【図５】この発明の実施の形態１によるディスク装置におけるＭＤホルダー引込みアームと駆動プレートとの係合関係を示す部分機構図である。
【図６】この発明の実施の形態１のディスク装置の構成を立体的に示す構造図である。
【図７】第６図においてＭＤ挿入方向から見たときのこの発明の実施の形態１のディスク装置の構成を示す構造図である。
【図８】第６図に示すこの発明の実施の形態１のディスク装置を右側から見たときの構造図である。
【図９】この発明の実施の形態１のディスク装置においてＣＤアダプタが上方へ持ち上げられたときの構成を示す構造図である。
【図１０】第６図に示したディスク装置の右側面の内部構成を示す構造図である。
【図１１】第９図および第１０図に示すディスク装置を立体的に示す構成図である。
【図１２】この発明の実施の形態１のディスク装置におけるＭＤホルダーガイドを示す構成図である。
【図１３】この発明の実施の形態１のディスク装置における装置内の所定位置へＭＤホルダーガイドにより案内されたＭＤホルダーを駆動プレート側から見た状態を立体的に示す構成図である。
【図１４】この発明の実施の形態１のディスク装置におけるＭＤをＭＤホルダーの所定位置へ装着するまでの状態を示す説明図である。
【図１５】この発明の実施の形態１のディスク装置におけるＭＤをＭＤホルダーの所定位置へ装着するまでの状態を示す説明図である。
【図１６】この発明の実施の形態１のディスク装置において、ＭＤをＭＤホルダーの所定位置へ装着するまでの状態を示す説明図である。
【図１７】この発明の実施の形態１のディスク装置において、ＭＤの挿入が検知され、これにより駆動プレートが矢印Ａ方向へ移動したときの状態を示す説明図である。
【図１８】この発明の実施の形態１のディスク装置において、ＭＤの挿入が検知され、これにより駆動プレートが矢印Ａ方向へ移動し、ＣＤアダプタが上方へ持ち上げられたときの状態を示す説明図である。
【図１９】この発明の実施の形態１のディスク装置において、ＭＤの挿入が検知され、これにより駆動プレートが矢印Ａ方向へ移動し、ＣＤアダプタが上方へ持ち上げられたときの状態を示す説明図である。
【図２０】この発明の実施の形態１のディスク装置において、ＭＤの挿入が検知され、これにより駆動プレートが矢印Ａ方向へ移動し、ＣＤアダプタが上方へ持ち上げられたときの状態を示す説明図である。
【図２１】この発明の実施の形態１のディスク装置において、ＣＤクランパーアームとＣＤアダプタアームが装置の奥へ待避したときの状態を示す説明図である。
【図２２】この発明の実施の形態１のディスク装置において、ＣＤクランパーアームとＣＤアダプタアームが装置の奥へ待避したときの状態を示す説明図である。
【図２３】この発明の実施の形態１のディスク装置において、ＣＤクランパーアームとＣＤアダプタアームが装置の奥へ待避したときの状態を示す説明図である。
【図２４】この発明の実施の形態１のディスク装置においてＭＤが装置内の所定位置へセットされた状態を示す説明図である。
【図２５】第２４図の右側面の状態を示す説明図である。
【図２６】第２４図および第２５図の状態を立体的に示した説明図である。
【図２７】この発明の実施の形態１のディスク装置における駆動プレートと、ＭＤホルダーに装着されたＭＤとの関係を示す説明図である。
【図２８】この発明の実施の形態１のディスク装置におけるＭＤホルダーガイドと、装置内の所定位置へ案内されたＭＤホルダーを駆動プレート側から見た状態を示す説明図である。
【図１】
0003749125.tif 000002
【図２】
0003749125.tif 000003
【図３】
0003749125.tif 000004
【図４】
0003749125.tif 000005
【図５】
0003749125.tif 000006
【図６】
0003749125.tif 000007
【図７】
0003749125.tif 000008
【図８】
0003749125.tif 000009
【図９】
0003749125.tif 000010
【図１０】
0003749125.tif 000011
【図１１】
0003749125.tif 000012
【図１２】
0003749125.tif 000013
【図１３】
0003749125.tif 000014
【図１４】
0003749125.tif 000015
【図１５】
0003749125.tif 000016
【図１６】
0003749125.tif 000017
【図１７】
0003749125.tif 000018
【図１８】
0003749125.tif 000019
【図１９】
0003749125.tif 000020
【図２０】
0003749125.tif 000021
【図２１】
0003749125.tif 000022
【図２２】
0003749125.tif 000023
【図２３】
0003749125.tif 000024
【図２４】
0003749125.tif 000025
【図２５】
0003749125.tif 000026
【図２６】
0003749125.tif 000027
【図２７】
0003749125.tif 000028
【図２８】
0003749125.tif 000029